(57)【要約】      （修正有）【課題】タオル全体の風合いを保って耳縫製が不要のタオルを提供する。【解決手段】パイル経糸と地経糸をそれぞれ紡糸し、パイル経糸が並行紡績法により紡糸され、紡糸したパイル経糸と地経糸をそれぞれ整経し、地経糸を１１番手ないし１２０番手でビームに巻き付け、製品に対して整経されたパイル経糸と地経糸をそれぞれ糊付けし、予め端を残した地経糸を所定の地糸本数で経糸に絡げ、タオル織機を用いて製造することにより耳縫製が不要のタオルとした。【選択図】図１
0003232812.tif 000002
【実用新案登録請求の範囲】
【請求項１】
並行紡績法により作られたパイル経糸と地経糸をそれぞれ紡糸し、
前記パイル経糸と前記地経糸をそれぞれ整経し、該地経糸を１１番手ないし１２０番手にてビームに巻き付け、
整経された前記パイル経糸と前記地経糸をそれぞれ糊付けし、糊付けした該パイル経糸と該地経糸を２：２の配列比率にてそれぞれ綜絖及び筬に通して耳を作り、
予め耳作り用に端を残した地経糸を所定の地糸本数で経糸に絡げ、タオル織機を用いて製造される、ことを特徴とする耳縫製が不要のタオル。
【請求項２】
綜絖通しの工程では６枚の綜絖枠を使用するとともに、余分な２枚の綜絖枠の高さを調整し、
前記経糸の密度を３０本／インチないし３２本／インチ、緯糸の密度を１８本／インチないし２２本／インチ、緯糸サイクルを３とし、パイル倍率は３．８倍ないし７．０倍とする、ことを特徴とする請求項１に記載の耳縫製が不要のタオル。
【請求項３】
端処理には、外側が上１下１、中央が上３下３、内側が上２下１のかがり縫い方式を採用し、該かがり縫いは、ヨコ３に達するごとに一度行われる、ことを特徴とする請求項２に記載の耳縫製が不要のタオル。
【請求項４】
地経糸、パイル経糸という２系統の経糸と１系統の緯糸を織り合わせてなり、地経糸の半分と緯糸が上層を形成するよう織り合わされ、残りの半分と緯糸が下層を形成するよう織り合わされ、
パイル経糸と緯糸が中間層を形成するように織り合わされ、
地経糸の一部と緯糸が上層の布面を織り合わせる際は、下層の地経糸が沈んで緯糸と織り合わされることがなく、地経糸のその他の部分と緯糸とが織り合わされることもなく、
地経糸の一部と緯糸が下層の布面を織り合わせる際は、上層の地経糸が持ち上げられて緯糸と織り合わされることがなく、地経糸のその他の部分と緯糸とが織り合わされることもなく、
前記地経糸は１１番手ないし１２０番手でビームに巻き付けられ、
整経されたパイル経糸と地経糸はそれぞれ糊付けされ、
糊付けしたパイル経糸と地経糸を２：２の配列比率でそれぞれ綜絖及び筬に通す、ことにより製造される、ことを特徴とする耳縫製が不要のタオル。
【請求項５】
地経糸、パイル経糸という２系統の経糸と１系統の緯糸を織り合わせてなり、
地経糸の半分と緯糸が上層を形成するよう織り合わされ、残りの半分と緯糸が下層を形成するよう織り合わされ、パイル経糸と緯糸が中間層を形成するように織り合わされ、
地経糸の一部と緯糸が上層の布面を織り合わせる際は、下層の地経糸が沈んで緯糸と織り合わされることがなく、地経糸のその他の部分と緯糸とが織り合わされることもなく、
地経糸の一部と緯糸が下層の布面を織り合わせる際は、上層の地経糸が持ち上げられて緯糸と織り合わされることがなく、地経糸のその他の部分と緯糸とが織り合わされることもなく、
前記地経糸は１１番手ないし１２０番手でビームに巻き付けられ、
整経されたパイル経糸と地経糸はそれぞれ糊付けされ、
糊付けしたパイル経糸と地経糸を２：２の配列比率でそれぞれ綜絖及び筬に通す、ことにより製造される、ことを特徴とする耳縫製が不要のタオル。
【請求項６】
パイル経糸、緯糸及び地経糸から製造され、緯糸と地経糸が互いに垂直に平面を織りなし、パイル経糸が緯糸に対し交互に挿通されるとともに、地経糸と平行とされ、
前記地経糸は１１〜１２０番手でビームに巻き付けられ、
整経されたパイル経糸と地経糸はそれぞれ糊付けされ、
糊付けしたパイル経糸と地経糸を２：２の排列比率でそれぞれ綜絖及び筬に通す、ことにより製造される、ことを特徴とする耳縫製が不要のタオル。
【考案の詳細な説明】
【技術分野】
【０００１】
本考案は縫製不要の耳を具えるタオルに関する。
【背景技術】
【０００２】
従来のタオルの耳巻きには、生地をほつれないようにミシン糸でかがっていくオーバーロック、三つ巻きにして本縫いまたは環縫い、飾りミシンで耳を飾っていく方法がある。三つ巻き縫製には大量の端切れが捨てられ、そして、縫製不良も出やすい。また、縫製の強度を補うために綿糸ではなくアクリル糸を用いるなど、綿以外の原料が使うことがある。両耳を三つ巻縫製で作ったタオルは、日常的に使用しているうちにほつれやすくなることから、タックイン装置を使用して耳をほつれないように織った組織にするものもあるが、この工程で作ったタオルの耳の肌触りがよくない。また、よく１０番手以下の太番手の糸のみが使用されるため、柔らかいタオルのボディとの格差が大きい、使用には不快感があり、１０番手以下の太番手の糸しか使用できないと、タオルの耳の収縮率に影響が生じてしまい、タオル全体の風合いに影響が出来てしまう。
【考案の概要】
【考案が解決しようとする課題】
【０００３】
そこで、本考案は、タオル全体の風合いを保って耳縫製が不要のタオルを提供することを主たる課題とする。
【課題を解決するための手段】
【０００４】
上記課題を達成するために、本願請求項１に係る耳縫製が不要のタオルは、並行紡績法により作られたパイル経糸と地経糸をそれぞれ紡糸し、前記パイル経糸と前記地経糸をそれぞれ整経し、該地経糸を１１番手ないし１２０番手にてビームに巻き付け、整経された前記パイル経糸と前記地経糸をそれぞれ糊付けし、糊付けした該パイル経糸と該地経糸を２：２の配列比率にてそれぞれ綜絖及び筬に通して耳を作り、予め耳作り用に端を残した地経糸を所定の地糸本数で経糸に絡げ、タオル織機を用いて製造される、ことを特徴としている。
また、本願請求項２に係る耳縫製が不要のタオルは、請求項１に記載の耳縫製が不要のタオルであって、綜絖通しの工程では６枚の綜絖枠を使用するとともに、余分な２枚の綜絖枠の高さを調整し、前記経糸の密度を３０本／インチないし３２本／インチ、緯糸の密度を１８本／インチないし２２本／インチ、緯糸サイクルを３とし、パイル倍率は３．８倍ないし７．０倍とする、ことを特徴としている。
そして、本願請求項３に係る耳縫製が不要のタオルは、請求項２に記載の耳縫製が不要のタオルであって、端処理には、外側が上１下１、中央が上３下３、内側が上２下１のかがり縫い方式を採用し、該かがり縫いは、ヨコ３に達するごとに一度行われる、ことを特徴としている。
さらに、本願請求項４に係る耳縫製が不要のタオルは、地経糸、パイル経糸という２系統の経糸と１系統の緯糸を織り合わせてなり、地経糸の半分と緯糸が上層を形成するよう織り合わされ、残りの半分と緯糸が下層を形成するよう織り合わされ、パイル経糸と緯糸が中間層を形成するように織り合わされ、地経糸の一部と緯糸が上層の布面を織り合わせる際は、下層の地経糸が沈んで緯糸と織り合わされることがなく、地経糸のその他の部分と緯糸とが織り合わされることもなく、地経糸の一部と緯糸が下層の布面を織り合わせる際は、上層の地経糸が持ち上げられて緯糸と織り合わされることがなく、地経糸のその他の部分と緯糸とが織り合わされることもなく、前記地経糸は１１番手ないし１２０番手でビームに巻き付けられ、整経されたパイル経糸と地経糸はそれぞれ糊付けされ、糊付けしたパイル経糸と地経糸を２：２の配列比率でそれぞれ綜絖及び筬に通す、ことにより製造される、ことを特徴としている。
また、本願請求項５に係る耳縫製が不要のタオルは、地経糸、パイル経糸という２系統の経糸と１系統の緯糸を織り合わせてなり、地経糸の半分と緯糸が上層を形成するよう織り合わされ、残りの半分と緯糸が下層を形成するよう織り合わされ、パイル経糸と緯糸が中間層を形成するように織り合わされ、地経糸の一部と緯糸が上層の布面を織り合わせる際は、下層の地経糸が沈んで緯糸と織り合わされることがなく、地経糸のその他の部分と緯糸とが織り合わされることもなく、地経糸の一部と緯糸が下層の布面を織り合わせる際は、上層の地経糸が持ち上げられて緯糸と織り合わされることがなく、地経糸のその他の部分と緯糸とが織り合わされることもなく、前記地経糸は１１番手ないし１２０番手でビームに巻き付けられ、整経されたパイル経糸と地経糸はそれぞれ糊付けされ、糊付けしたパイル経糸と地経糸を２：２の配列比率でそれぞれ綜絖及び筬に通す、ことにより製造される、ことを特徴としている。
そして、本願請求項６に係る耳縫製が不要のタオルは、パイル経糸、緯糸及び地経糸から製造され、緯糸と地経糸が互いに垂直に平面を織りなし、パイル経糸が緯糸に対し交互に挿通されるとともに、地経糸と平行とされ、前記地経糸は１１〜１２０番手でビームに巻き付けられ、整経されたパイル経糸と地経糸はそれぞれ糊付けされ、糊付けしたパイル経糸と地経糸を２：２の排列比率でそれぞれ綜絖及び筬に通す、ことにより製造される、ことを特徴としている。
【考案の効果】
【０００５】
本考案は、従来技術と比べて下記のような優位性を有する。
製造が簡単で、手触りの良さが改善され、原料の使用量の節約もできる。タオルのボディと耳との柔らかさの差が今までの２倍以上から０．５倍ないし１．２倍まで改善され、タオル全体の手触りが良くなる。また、耳巻き縫製が不要なため、不良品の発生や人件費の節約もできるし、タオル全体の強度もアップする。新たな綜絖通しの方法では、従来は耳作りに対して４枚の綜絖枠を使用していたところを６枚の綜絖枠に変更し、増えた２枚の綜絖枠の高さを調整し、一般的な綜絖通しの方式を変更することによって、連続３回横糸を入れてカットするという作業を重複して行うことができるし、細番手の糸で柔らかいタオルの耳生地が出来るため、今まで太番手しか耳生地を作れないことが解消でき、一般的な三つ巻き縫製の耳よりも手触りがよくなる。
【図面の簡単な説明】
【０００６】
【図１】図１は、実施例に係る耳縫製が不要のタオルの耳の部分の平面写真である。
【図２】図２は、耳縫製が不要のタオルの製造方法のメカニズム原理を示す図である。
【図３】図３は、耳生地作りの実施例を示す図である。
【図４】図４は、耳生地処理の実施例を示す図である。
【考案を実施するための形態】
【０００７】
本発明を実施するための形態に係る実施例について、図１ないし図４を参照して説明する。
【実施例１】
【０００８】
本考案に係る耳縫製が不要のタオルの製造方法を図２を参照して説明する。
まずパイル経糸と地経糸をそれぞれ紡糸する。なお、前記パイル経糸は並行紡績法により紡糸される。続いて、紡糸したパイル経糸と地経糸をそれぞれ整経し、前記地経糸を１１番手ないし１２０番手でビームに巻き付ける。整経されたパイル経糸と地経糸はそれぞれ糊付けし、糊付けしたパイル経糸と地経糸を２：２の配列比率でそれぞれ綜絖及び筬に通す。そして、予め端を残した地経糸を所定の地糸本数で経糸に絡げ、タオル織機を用いて製造する。
【０００９】
好ましくは、綜絖通しのステップでは６枚の綜絖枠を使用するとともに、余分な２枚の綜絖枠の高さを調整する。また、前記経糸の密度を３０本／インチないし３２本／インチ、緯糸の密度を１８本／インチないし２２本／インチ、緯糸サイクルを３とする。そして、前記パイル倍率を３．８倍ないし７．０倍とする。
【００１０】
さらに、図２のうち、１，２，３，４，５，６枚の綜絖枠は異なる高さを制御してかがり縫いを調節する。また、綜絖通しの方式については、綜絖ごとの糸本数を図示の通りとする。また、図２に示すように、前記端処理には外側が上１下１、中央が上３下３、内側が上２下１のかがり縫い方式を採用する。そして、図３に示すように、前記かがり縫いはヨコ３に達するごとに一度行うようにするとよい。
【実施例２】
【００１１】
本考案に係る耳縫製が不要のタオルの他の代替的な実施例としては、地経糸、パイル経糸という２系統の経糸と１系統の緯糸を織り合わせて形成する。地経糸の半分と緯糸が上層を形成するよう織り合わされ、残りの半分と緯糸が下層を形成するよう織り合わされる。また、パイル経糸と緯糸が中間層を形成するように織り合わされる。地経糸の一部と緯糸が上層の布面を織り合わせる際は、下層の地経糸が沈んで緯糸と織り合わされることがなく、地経糸のその他の部分と緯糸とが織り合わされることもない。また、地経糸の一部と緯糸が下層の布面を織り合わせる際は、上層の地経糸が持ち上げられて緯糸と織り合わされることがなく、地経糸のその他の部分と緯糸とが織り合わされることもない。前記地経糸は１１番手ないし１２０番手でビームに巻き付けられる。整経されたパイル経糸と地経糸はそれぞれ糊付けし、糊付けしたパイル経糸と地経糸を２：２の配列比率でそれぞれ綜絖及び筬に通す。
【００１２】
好ましくは、綜絖通しのステップでは６枚の綜絖枠を使用するとともに、余分な２枚の綜絖枠の高さを調整する。また、好ましくは、前記経糸の密度を３０本／インチないし３２本／インチ、緯糸の密度を１８本／インチないし２２本／インチ、緯糸サイクルを３とする。そして、好ましくは、前記パイル倍率を３．８倍ないし７．０倍とする。さらに、好ましくは、前記端処理には外側が上１下１、中央が上３下３、内側が上２下１のかがり縫い方式を採用する。また、好ましくは、前記かがり縫いはヨコ３に達するごとに一度行われる。
【実施例３】
【００１３】
他の代替的な実施例として、本発明のタオルは、パイル経糸、緯糸及び地経糸から製造され、緯糸と地経糸が互いに垂直に平面を織りなす。パイル経糸は緯糸に対し交互に挿通されるとともに、地経糸と平行とされる。前記地経糸は１１番手ないし１２０番手でビームに巻き付けられる。整経されたパイル経糸と地経糸はそれぞれ糊付けし、糊付けしたパイル経糸と地経糸を２：２の配列比率でそれぞれ綜絖及び筬に通す。
【００１４】
好ましくは、綜絖通しのステップでは６枚の綜絖枠を使用するとともに、余分な２枚の綜絖枠の高さを調整する。また、好ましくは、前記経糸の密度を３０本／インチないし３２本／インチ、緯糸の密度を１８本／インチないし２２本／インチ、緯糸サイクルを３とする。そして、好ましくは、前記パイル倍率を３．８倍ないし７．０倍とする。さらに、好ましくは、前記端処理には外側が上１下１、中央が上３下３、内側が上２下１のかがり縫い方式を採用する。また、好ましくは、前記かがり縫いはヨコ３に達するごとに一度行われる。
【００１５】
なお、実施例１ないし実施例３により、図１に示すような耳を有する耳縫製が不要のタオルを得ることができる。
【図１】
0003232812.tif 000003
【図２】
0003232812.tif 000004
【図３】
0003232812.tif 000005
【図４】
0003232812.tif 000006